(57)【要約】本発明は、糸の長手方向に対して直角に揺動する糸（２）、特に機械的織機に関する開口装置の縦糸（２）の運動を選択的に制御するためのコードレス糸制御装置に関する。本発明の糸制御装置は、揺動自在に駆動可能な少なくとも一つの昇降装置（２２）および糸（２）のための少なくとも一つの駆動機構を備える。さらに、駆動機構（４）を選択的に昇降装置（２２）と係合するために、少なくとも一つの係止装置（２８）を備え、前記係止装置は、アクチュエータ（３４）によって作動可能な制御手段（３０）を含む。性能および実用寿命を高めるため、またノイズ発生を低減するために、糸制御装置は二部品駆動機構の個々の部品（４ａ、４ｂ）を接続するダンパ（４０）を含む。
2005530049.tif 000002
【特許請求の範囲】
【請求項１】
揺動駆動可能な少なくとも一つの昇降装置（２２、７０）と、糸（２）のためのガイド（１８）を有する少なくとも一つのドライバ（４、４４、６８）と、ドライバ（４、４４、６８）を選択的に昇降装置（２２、７０）と係合するためにアクチュエータ（３４、４８）によって作動可能な制御手段（３０、４６）とをさらに有する少なくとも一つの留置装置（２８、６０）と、ドライバ（４、４４、６８）がダンパ（４０、４０ａ）を有して成る、糸（２）の、特に織機の開口装置の縦糸（２）の走行方向に対して直角な揺動運動を制御するためのコードレス糸制御装置において、
ドライバ（４、４４、６８）が長手方向に耐屈曲性を持つように設計され、ドライバが昇降装置（２０、７０）と制御手段（３０、４６）とに分割され、ドライバ部品（４ａ、４ｂ、４４ａ、４４ｂ、６８ａ、６８ｂ）が弾性ダンパ部材（４０、４２）を介して相互に接続され、および／またはドライバ（６８）が、ダンパ（４０ａ）として作用する電磁結合装置（６６）の電磁界を介して昇降装置（７０）に非接触結合ができることを特徴とする糸制御装置。
【請求項２】
ダンパ（４０）が昇降装置（２２）の止め子として設計されることを特徴とする請求項１に記載の糸制御装置。
【請求項３】
ドライバ（６８）が制御手段（４６）によって留置されない限り前記ドライバ（６８）が駆動可能なように、結合装置（６６）がドライバ（６８）に固定状態に配設された永久磁石（７２）を有し、その極が、昇降装置（７０）上に配設された磁気装置（７４）の二つの同極の磁極間に懸吊状態に保持されることを特徴とする請求項１に記載の糸制御装置。
【請求項４】
永久磁石（７２、７４）の極がドライバ（６８）の運動方向に向けられることを特徴とする請求項３に記載の糸制御装置。
【請求項５】
永久磁石（７２、７４）の極がドライバ（６８）の運動方向に対し直角に向けられることを特徴とする請求項３に記載の糸制御装置。
【請求項６】
昇降装置（７０）の磁気装置（７２）が永久磁石設計であることを特徴とする請求項３に記載の糸制御装置。
【請求項７】
昇降装置の磁気装置が電磁石設計であることを特徴とする請求項３に記載の糸制御装置。
【請求項８】
開口装置の横糸方向（７６）および／または縦糸方向に見たときに、留置装置が縦糸（２）を導くドライバ（４４）と同じ振り分け（ＴＳおよび／またはＴＫ）を有することを特徴とする請求項１乃至７のいずれかに記載の糸制御装置。
【請求項９】
ドライバ（４４）が平坦なリフタとして設計され、その一端部（５４）が、電磁アクチュエータ（４８）の影響下で留置手段（５８）と係合することのできる制御手段（４６）として設計されることを特徴とする請求項１乃至８のいずれかに記載の糸制御装置。
【請求項１０】
アクチュエータ（４８）が傾斜極磁石として設計されることを特徴とする請求項９に記載の糸制御装置。
【請求項１１】
ドライバ（６８）の端部（５４）が板ばねとして設計されることを特徴とする請求項９に記載の糸制御装置。
【請求項１２】
ドライバ（６８）の端部（５４）に留置部（５８）と協働する係止凹部（５６）が設けられることを特徴とする請求項９に記載の糸制御装置。
【請求項１３】
ドライバ（４、４４、６８）が、制御手段（３０）から離れる方を向いた端部に配設された戻しばね（２０）と協働することを特徴とする請求項１乃至１２のいずれかに記載の糸制御装置。
【発明の詳細な説明】
【技術分野】
【０００１】
本発明は、請求項１の前提部分に係るコードレス糸制御装置に関する。
【背景技術】
【０００２】
冒頭に示した型のコードレス糸制御装置は、例えばＧＢ１２１９０１２Ａから公知である。糸のドライバであり、鋼製リフタとして設計された前記ドライバは、留置装置に対面するその一端にフックを有し、それによって鋼製リフタは留置装置と選択的に係合することができる。フックと留置装置の係合の減衰をもたらすように意図された弾力性をドライバの端部に付与するために、フックは弧状の形状を有する。フックの弧状の弾性設計のため、後者は鋼製リフタの長手方向に不安定であり、その結果、留置装置に対するドライバの信頼できる係合が確保されない。これは糸制御装置の不正確な動作、回転速度の低下、および最終的に生産される布ウェブの織りミスを導くことがある。
【発明の開示】
【発明が解決しようとする課題】
【０００３】
本発明の目的は、冒頭に示した型の糸制御装置を、前記弱点を持たないように設計することである。
【課題を解決するための手段】
【０００４】
冒頭で示した糸制御装置の目的は、本発明に従い、請求項１の特徴部分を用いて達成することである。
【０００５】
糸制御装置において、ドライバは昇降装置と制御手段とに分割され、該ドライバ部品は弾性ダンパ部材を介して接続され、および／またはドライバは電磁結合装置のダンパとして働く電磁界により昇降装置に非接触結合されるため、ドライバが留置装置と係合している間に発生する負荷は減衰され、かつ、それでもなお留置装置におけるドライバの信頼できる係合が確保される。糸制御装置における力の伝達はそれによって減衰されるので、特に高駆動周期の場合でも衝撃が緩和され、従って留置手段の損傷が低減される。これは特に、高性能化と共に、実質的な摩擦の低減およびより長い有効寿命を導く。さらに、ノイズの発生が低減され、結果的にオペレータの作業条件が改善される。
【０００６】
糸制御装置の有利な改良点を、請求項２乃至１３に記載する。
【０００７】
請求項２に従ってダンパを昇降装置の止め子として設計すると、ここに直接的な力の導入が発生するので、特に好都合である。
【０００８】
請求項３に従って、ドライバが制御手段によって運動を留置されない限り前記ドライバが駆動できるように、結合装置がドライバ上に固定状態に配設された永久磁石を有し、その極を昇降装置上に配設された磁気装置の二つの同極の磁極間に懸吊状態に保持すると、有利である。永久磁石の極は、請求項４に従ってドライバの運動の方向に向けることができ、あるいは請求項５に従ってドライバの運動の方向に対して直角に向けることが可能である。請求項６に従って、昇降装置の磁気装置が永久磁石設計であれば、特に有利である。しかし、複雑な電流供給にもかかわらず、請求項７に係る電気的設計も予想することが可能である。
【０００９】
請求項８に従って、開口装置の横糸方向および／または縦糸方向に見て、留置装置が縦糸を案内するヘッドル(heddle)と同じ振り分けを有した場合、特に小型の構成が得られる。
【００１０】
請求項９に従って、ドライバを平坦なリフタとして構成し、その一端部を、電磁アクチュエータの影響下で留置部材と係合可能な直接制御手段として構成すると、特に平坦かつ効果的な型の構成が得られる。この場合、請求項１０に従って、アクチュエータを傾斜極磁石として設計し、また請求項１１に従って、端部を板ばねとして設計すると、特に有利である。ドライバの端部は、請求項１２に従って、留置部材と協働する係止凹部を設けることができる。請求項１３に従って、ドライバは、制御手段から離れる方を向いた端部に配設することが好ましい戻しばねと協働する。
【００１１】
以下に図面に基づき、本発明の例示的な実施形態についてさらに詳しく説明する。
【発明を実施するための最良の形態】
【００１２】
図１は、特に織機用の開口装置として適しているような糸制御装置の概略図を示す。糸制御装置で、縦糸巻き８を介して供給される縦糸２は、へドルとして設計されたドライバ４によってひ口６内に開かれる。各ひ口が交換した後、横糸１０がひ口６内に発射され、布縁１２で筬打ちされて布ウェブ１４が得られ、それは布巻取り棒１６を介して巻き取られる。
【００１３】
糸制御装置は、縦糸２がそこを通して誘導されるループ１８を有するドライバ４を含む。ドライバ４は、ばね２０によって一方向に、例えばここでは下方に、予め圧縮応力が加えられて基本位置に着く。昇降ナイフ２４を持つ揺動昇降装置２２は、ドライバ４上の止め子２６を介して係合し、後者を昇降装置２２のリズムで、特にドライバが留置装置２８によって高位置にブロックされるまで、上下に運動する。留置装置は、片側がしっかりと締着された板ばね３２の形の制御手段３０を含み、板ばね３２のフック３６がドライバのフック３８と協働して、後者を上部位置、高ひ口位置に保持するように、板ばねは電磁アクチュエータ３４の影響下でドライバ４に向かって外に枢動することができる。
【００１４】
ドライバ４を減衰するために、後者は分割され、ドライバ部品４ａ、４ｂは、昇降装置２２の昇降ナイフ２４に係合する弾性部材から形成されるダンパ４０によって比接触接続される。止め子２６に作用する昇降装置の影響はそれによって減衰され、その結果、高い駆動力であるにもかかわらず、一方ではノイズの発生が、他方では糸制御装置の摩耗が低減される。その結果、特に制御装置３０およびドライバ４のフック３６、３８の摩耗が明確に低減され、開口装置の実用寿命が改善される。
【００１５】
図２乃至５は、図１の糸制御装置と同様に設計されているが、織機の開口用に使用可能な、さらなる糸制御装置を示す。この糸制御装置において、ドライバ４４は平坦なリフタとして設計され、二つのドライバ部品４４ａ、４４ｂから構成され、それらは減衰部材４０によって非接触接続される。ドライバ４４の上端部は制御手段４６として働き、この目的のために、アクチュエータ４８が起動されたときに、後者に向かって外に枢動する板ばねとして構成される。アクチュエータ４８は、特に図２から明らかなように、傾斜極磁石として構成される。それは基本的にＥ字形断面を持ち、その中間ウェブ５０に巻線５２が設けられているので、電流が印加されたときに、アクチュエータは電磁石になり、上端部５４を引き付ける。ドライバ４４の制御手段４６として働く上端部５４はオリフィス５６を含み、それによって前記ドライバは、アクチュエータ４８が起動した状態で、留置ノーズ５８と協働して保持される。その結果、ドライバ４４によって運動する縦糸を、アクチュエータ４８が再び失活するまで、高ひ口位置に維持することができる。糸制御装置の設計は、開口装置の横糸方向６２および／または縦糸方向６４に見たときに、アクチュエータ４８および制御手段４６から形成された留置装置６０が各々の場合に、縦糸２を案内するドライバ４４と同じ振り分けＴＫおよび／またはＴＳを持つようにする。この結果、特に織機の開口装置に適する非常に小型の構成の糸制御装置が得られる。
【００１６】
図６および７は、図１と同様に設計され、無接触磁気結合装置６６をダンパ４０ａとして有し、それによりドライバ６８が昇降装置７０に接続される、さらなる糸制御装置を示す。ドライバ６８は非分割設計とするか、あるいはさらに図１の例示的な実施形態と同様の分割設計とすることができ、その場合、ドライバ部品６８ａ、６８ｂはダンパ４０を介して相互に非接触接続される。結合装置６６は、図７に詳細に示すように、昇降装置７０の対応する結合部材７４と協働する永久磁石結合部材７２を含む。ドライバ６８の永久磁石結合部材７２はドライバ６８の運動の方向に向けられ、同様に運動の方向に向けられる昇降装置７０の結合部材７４と協働するが、その場合、極は、結合部材７２および７４の間で同様の極が両側で協働するように向けられる。こうして形成される磁界の結果、ドライバ６８の結合部材７２は懸吊状態に非接触的に保持され、昇降装置７０の結合部材７４間で駆動される。該結合装置はドライバの特に無衝撃の駆動を達成し、こうしてノイズおよび摩耗に対する緩和効果を有する。
【００１７】
ドライバは、変位の方向に充分な耐屈曲性を持たなければならず、例えばプラスチックなど可能な限り多様な材料から構成することができるが、従来は鋼から製造される。
【図面の簡単な説明】
【００１８】
【図１】開口装置用の第一糸制御装置の概略図。
【図２】開口装置用の第二糸制御装置の概略図。
【図３】図２の糸制御装置のＩＩＩ−ＩＩＩにおける断面図。
【図４】図２の糸制御装置のＩＶ−ＩＶにおける拡大断面図。
【図５】図２の糸制御装置のＶ−Ｖにおける断面図。
【図６】開口装置用の第三糸制御装置の概略図。
【図７】図６に係る昇降装置とドライバとの間の結合装置を示す拡大図。
【符号の説明】
【００１９】
２    縦糸
４    ドライバ
４ａ  ドライバ
４ｂ  ドライバ
６    ひ口
８    縦糸巻き
１０  横糸
１２  布縁
１４  布ウェブ
１６  布巻取り棒
１８  ループ
２０  ばね
２２  昇降装置
２４  昇降ナイフ
２６  止め子
２８  留置装置
３０  制御手段
３２  板ばね
３４  アクチュエータ
３６  ３２のフック
３８  ４のフック
４０  ダンパ
４０ａ  ダンパ
４２  弾性部材
４４  ドライバ
４４ａ  上部ドライバ部品
４４ｂ  下部ドライバ部品
４６    制御手段
４８    アクチュエータ
５０    ウェブ
５２    巻取り
５４    上端部４４ａ
５６    オリフィス
５８    留置ノーズ
６０    留置装置
６２    横糸方向
６４    縦糸方向
６６    結合装置
６８    ドライバ
６８ａ  ドライバ
６８ａ  ドライバ
７０    昇降装置
７２    ６８のための結合部材
７４    ７０のための結合部材
【図１】
2005530049.tif 000003
【図２】
2005530049.tif 000004
【図３】
2005530049.tif 000005
【図４】
2005530049.tif 000006
【図５】
2005530049.tif 000007
【図６】
2005530049.tif 000008
【図７】
2005530049.tif 000009
【国際調査報告】
2005530049.tif 000010
2005530049.tif 000011
2005530049.tif 000012
2005530049.tif 000013
2005530049.tif 000014
2005530049.tif 000015
2005530049.tif 000016
2005530049.tif 000017
2005530049.tif 000018
2005530049.tif 000019